(57)【要約】    【課題】車内スペースを有効に活用して利便性を向上させる荷掛けフックを備えた車両用収納装置を提供する。    【解決手段】車両のインストルメントパネル（１）に配置された引き出し式の収納装置（４）の前壁（２０ａ）にフック（３０）を設置する。これにより、物品を収納装置（４）の内部に収納できるだけでなく、荷物を荷掛けフック（３０）に掛けることもでき、利便性が向上する。また、フック（３０）は収納ケース（２０）を開くための把手となる。【選択図】図４
2010111210.tif 000002
【特許請求の範囲】
【請求項１】
車両の内装部材に配置された引き出し式の収納装置であって、
前記内装部材の内側に形成される基部と、
前記基部にスライド可能に支持され、車室内を向く前壁を有する収納ケースと、
前記収納ケースの前壁に配置された荷掛けフックと
を備えたことを特徴とする車両用収納装置。
【請求項２】
前記荷掛けフックを下方向から支持する支持部を前記前壁上に備えることを特徴とする、請求項１に記載された車両用収納装置。
【請求項３】
前記荷掛けフックの係止部に対向する前記前壁の部分に凹部が設けられていることを特徴とする、請求項１または請求項２に記載された車両用収納装置。
【請求項４】
前記前壁は、前記荷掛けフックの係止部が貫通する開口と、前記係止部に対向する部分に凹部とを有する化粧パネルを更に備えることを特徴とする、請求項１〜請求項３のいずれか一項に記載された車両用収納装置。
【請求項５】
前記収納ケースの軌道の車室側が、上方に傾いていることを特徴とする、請求項１〜請求項４のいずれか一項に記載された車両用収納装置。
【請求項６】
前記内装部材はインストルメントパネルであり、
前記収納装置は、前記インストルメントパネルに設置されている変速レバーの下方、左方または右方のいずれかに配置されたことを特徴とする、請求項１〜請求項５のいずれか一項に記載された車両用収納装置。
【請求項７】
前記内装部材はインストルメントパネルであり、
前記収納装置は、前記インストルメントパネルに設置されている電力供給手段の下方、左方または右方のいずれかに配置されたことを特徴とする、請求項１〜請求項６のいずれか一項に記載された車両用収納装置。
【発明の詳細な説明】
【技術分野】
【０００１】
本発明は、車両の車室内に設置される車両用収納装置に関する。
【背景技術】
【０００２】
車両の車室内に荷掛け用フックを取り付けると、乗員はいわゆるレジ袋等をフックに掛けて固定することができ、レジ袋の中身がこぼれることを防止できる。車両の内装部材であるインストルメントパネルに設置されて荷物を掛けることができる装置は、例えば、特許文献１や特許文献２によって開示されている。特許文献１には、吊り下げ用フックの取付構造が開示されており、これはインストルメントパネル表面に突起を設けてＪ型スピードナットによってこの突起にフックを取り付けるものである。特許文献２には、車室内用収納構造が開示されており、これは、下部の支持軸を支点にして揺動することにより前後に開閉される収納ボックスであって、車室内を向く前壁の上端に荷掛け用の切り込み部を設けたものである。
【特許文献１】特開平１１−１１５６０４号公報
【特許文献２】特開２００７−３０７９７９号公報
【発明の開示】
【発明が解決しようとする課題】
【０００３】
しかし、特許文献１に記載のフックの取付構造は、新たにフック取り付け用のスペースを設けなければならない。また、特許文献２に記載の収納ボックスについては、収納ボックスを閉じた状態で荷物を前壁の前に掛けるとボックスが開いてしまう可能性があり、前壁の後ろつまり収納ボックスの内部に荷物（ゴミ袋）をかけると美観は向上するが収納スペースは増加しない。
【０００４】
本発明は、上記の課題を解決して、車内スペースを有効に活用できるフックを備えた収納装置を提供することを目的とする。
【課題を解決するための手段】
【０００５】
本発明に係る車両用収納装置は、車両の内装部材（１）に配置された引き出し式の収納装置（４）であって、前記内装部材の内側に形成される基部（１０）と、前記基部（１０）にスライド可能に支持され、車室内を向く前壁（２０ａ）を有する収納ケース（２０）と、前記収納ケース（２０）の前壁（２０ａ）に配置された荷掛けフック（３０）とを備えたことを特徴とする。
【０００６】
特に、前記荷掛けフック（３０）を下方向から支持する支持部（２２）を前記前壁（２０ａ）上に備えるとよい。
【０００７】
また、特に、前記荷掛けフック（３０）の係止部（３１）に対向する前記前壁（２０ａ）の部分に凹部が設けられるとよい。前記前壁（２０ａ）は、前記荷掛けフック（３０）の係止部（３１）が貫通する開口と、前記係止部（３１）に対向する部分に凹部（４１）とを有する化粧パネル（４０）を更に備えるとよい。
【０００８】
また、特に、前記収納ケース（２０）の軌道の車室側が、上方に傾いているとよい。
【０００９】
また、前記内装部材はインストルメントパネル（１）であり、前記収納装置（４）は前記インストルメントパネル（１）に設置されている変速レバー（５）または電力供給手段（６）が設置されている場合には、収納装置（４）は前記変速レバー（５）や電力供給手段（６）の下方、左方または右方のいずれかに配置されているとよい。
【００１０】
文脈上明らかに異なることを意味する場合を除き、インストルメントパネルや収納装置の方向や部位については、車室内方向を「前」といい、その反対側を「後」という。
【発明の効果】
【００１１】
本発明に係る収納装置によると、収納装置の中に物品を収納できるだけでなく、荷掛けフックにも荷物を掛けることができるため、利便性が向上する。また、荷掛けフックが収納ケースを開閉するための把手の機能も併せ持つため、収納ケースを引き出すことが容易となる。
【００１２】
なお、荷掛けフックを支持する支持部を収納ケースに設けた場合には、荷掛けフックを比較的剛性の低い材質で構成しても、荷掛けフックの変形が抑制できるとともに、荷掛けフックに重い荷物を掛けることができる。収納ケースの前壁（化粧パネルを含む）に凹部を設けた場合には、荷掛けフックが車室側に大きく突出することを防ぐことができる。
【００１３】
また、収納ケースを傾斜配置した場合には、収納ケースの前壁側が上方に傾き、収納ケースの後側が下方に傾くことになる。そのため、荷掛けフックに掛ける荷物の荷重が収納ケースが閉まる方向に作用するため、収納ケースの不用意な開きを防止できる。
【００１４】
また、変速レバーや電力供給手段がインストルメントパネルに設置され、変速レバーや電力供給手段の下方、左方または右方のいずれかに収納装置を設置した場合には、荷掛けフックに掛けられた荷物が変速レバーや電力供給手段に接触して操作に影響を与えることを防止できる。
【発明を実施するための最良の形態】
【００１５】
≪実施形態の構成≫
図１は、本発明に係る収納装置４が設置されたインストルメントパネル１の正面図（車両後方から見た図）である。インストルメントパネル１は、自動車の車室内の車体方向で前部に設置されており、メータクラスタ２やグローブボックス３等が備えられている。本発明に係る収納装置４は、インストルメントパネル１の正面、左右方向略中央に設置されている。また、セレクトレバー（変速レバー）５は収納装置４の上方に設置され、電力供給手段６は収納装置４の右方に設置されている。
【００１６】
図２は本発明に係る収納装置４の斜視図であり、図３は本発明に係る収納装置４（ガイド部材１０を除く）の分解斜視図である。収納装置４は、車体に固定されるガイド部材１０と、ガイド部材１０に前後移動可能に支持される収納ケース２０と、収納ケース２０に固定される荷掛けフック（以下、単にフックという）３０と、収納ケース２０の前面を覆う化粧パネル４０と、収納ケース２０の可動範囲を制限するストッパ５０とを備える。
【００１７】
ガイド部材１０は、板状を呈しており、収納ケース２０を前後にスライド可能に支持する左右一対のガイドレール１１と、ストッパ５０を係止することにより収納ケース２０の可動範囲を制限する凹部１２と、車体に固定するためのねじ孔１３とを有する。ガイド部材１０は、ガイドレール１１が後傾するように設置される。ガイド部材１０の材質は、収納ケース２０に入れる物品の荷重やフック３０に掛ける荷物の荷重に耐えるもの（例えば、薄鋼板や合成樹脂）である。
【００１８】
ガイドレール１１はガイド部材１０の左右の両端部を下側に折り返した、前方から見てでコの字形（左側は左右反転したコの字形）の部分である。凹部１２は、平面視で長手方向が車両の前後方向に沿う略長方形を呈しており、ガイド部材１０の左右方向の略中央に下側から凹状にされた部分である。凹部１２の後端は収納ケース２０が閉じた状態となった際にストッパ５０の位置よりも後方にあり、凹部１２の前端は収納ケース２０が最大に開いた状態でストッパ５０を係止する位置にある。ねじ孔１３はガイド部材１０の前側の２箇所にあり、ねじ孔１３の周辺部はガイド部材１０が取り付けられるインストルメントパネル１の取付部１ａに対応するように傾斜が設けられている。
【００１９】
収納ケース２０は、略直方体の上面が開放された箱形形状であり、ガイドレール１１に前後移動可能に支持されるレール溝２１と、フック３０を支持する支持部２２と、ストッパ５０を取り付けるためのストッパ取付部２４とを有する。前壁２０ａにはフック３０を取り付けるためのねじ孔２３が設けられている。収納ケース２０は、内部に収容される物品の荷重やフック３０に掛けられる荷物の荷重に耐えられる強度を備えた合成樹脂製品である。
【００２０】
レール溝２１は、左右一対の前後方向に沿う溝であって、収納ケース２０の左右両側面の上辺から外側に突設されている。支持部２２は、フック３０を直接支持する板状部材２２ａと、板状部材２２ａを補強・支持する補強部材２２ｂとを有する。板状部材２２ａは、前壁２０ａの外面略中央から略水平に突設される。補強部材２２ｂは、三角形の平板状の２枚の部材であって、それぞれ一辺側が板状部材２２ａの左右の側面に固定され、他の一辺側が前壁２０ａの外面の下側に固定され、板面が略垂直になる。ねじ孔２３は、前壁２０ａの左右２箇所に設けられる。ストッパ取付部２４は、収納ケース２０の左右両側面の内側後端に設けられ、ストッパ５０の取付部５２と係合する。
【００２１】
フック３０は、係止部３１と、台座３３とを有する一体成形品であり、台座３３を収納ケース２０に固定するためのねじ孔３４が設けられている。フック３０は、収納ケース２０に比べて剛性が低い合成樹脂を材料としてもよい。
【００２２】
台座３３は、下面の中央が平坦であり、左右両側部に前後方向にねじ孔３４が設けられている。係止部３１は、板状の部材であって、台座３３の前端中央から上方に向けて突設されており、上端付近の前壁２０ａと対向する側には、側面視で三角形を呈する返し３２が設けられている。
【００２３】
化粧パネル４０は、収納装置４の正面の意匠性を向上させる板状の部材であり、収納ケース２０の前壁２０ａとフック３０との取付箇所を覆う。化粧パネル４０には開口４２が設けられており、化粧パネル４０を収納ケース２０の前壁２０ａに取り付けたとき、係止部３１が開口４２から外部に突出する。化粧パネル４０の正面（前面）上側の係止部３１と対向する部位は、係止部３１が前方へ突出するのを防ぎ、かつ、荷物を掛けやすく取り外しやすいように凹形状になっている（凹部４１）。なお、化粧パネル４０を前壁２０ａに取り付けた状態では、化粧パネル４０は、収納ケース２０の前壁の一部となる。
【００２４】
ストッパ５０は、ストッパ５０の取付部５２が収納ケース２０に取り付けられることによって固定される。ストッパ５０は、収納ケース２０と共に前後に移動し、収納ケース２０の最大開き位置を規制する。ストッパ５０は、略板状の部品であり、上面中央に凸部５１が設けられ、左右両端部に収納ケース２０への取付部５２が設けられている。取付部５２は、収納ケース２０のストッパ取付部２４に係合する。ストッパ５０は、収納ケース２０に取り付けられた状態で概ね収納ケース２０の内部に収容されるが、凸部５１の上側は、収納ケース２０の上方に突出してガイド部材１０の凹部１２に収容される。収納ケース２０を前方に移動させると、凸部５１が凹部前端１５に係止され、収納ケース２０の最大開き状態が規制される。
【００２５】
≪実施形態の組立・装着≫
図４は、収納ケース２０が閉じた状態にあるときの左右方向中央を通る面における縦断面図であり、図５は、収納ケース２０が最大に開いた状態にあるときの左右方向中央を通る面における縦断面図である。ガイド部材１０は、ねじ孔１３の周辺部の上側がインストルメントパネル１の取付部１ａに接するように、ねじ（非図示）によってインストルメントパネル１に締結される。
【００２６】
また、収納ケース２０に、フック３０、化粧パネル４０およびストッパ５０を取り付ける。フック３０の台座３３の下面中央を収納ケース２０の支持部２２の上面に当接させ、左右のねじ孔（２３、３４）にねじ（非図示）を締めることによってフック３０を収納ケース２０に固定する。化粧パネル４０は、開口４２に係止部３１を挿入し、周縁部を収納ケース２０の前壁２０ａの周縁部に嵌め合わせる。また、ストッパ５０の取付部５２と収納ケース２０のストッパ取付部２４とを係合させて、ストッパ５０を収納ケース２０に固定する。
【００２７】
フック３０、化粧パネル４０およびストッパ５０を取り付けた収納ケース２０をレール溝２１がガイドレール１１に沿うようにインストルメントパネル１の正面から挿入すると、収納ケース２０がガイド部材１０に対して前後に移動可能なように取り付けられる（図２参照）。収納ケース２０の閉じた状態においては、化粧パネル４０の正面は、インストルメントパネル１の正面と略同一面を構成する位置にある。
【００２８】
≪実施形態の機能≫
本実施形態においては、物品を収納ケース２０の中に収納でき、荷物をフック３０に掛けることができるため、利便性が向上する。また、係止部３１が収納ケース２０を開閉するための把手となっているため、収納ケース２０の引き出しが容易となる。
【００２９】
また、フック３０に掛ける荷物の荷重は主として収納ケース２０の支持部２２が支持する。そのため、フック３０にかかる荷重が軽減されるので、フック３０の材質は収納ケース２０の材質に比べて剛性が低いものでもよく、安価に製造することが可能である。また、凹部４１があるため、フック３０を車室側に大きく突出させずに設置でき、そのため衣服等をフックに引っ掛けずにすむ。また、収納装置４は、前側を上方に、後側を下方に傾斜させて設置されているので、荷重が収納ケース２０を閉じる方向に作用するため、収納ケース２０の不用意な開きを防止できる。このため、別途、開き防止器具を取り付けた場合に比べて、部品点数が少なく、収納ケース２０を開く動作がスムーズである。また、セレクトレバー５を収納装置４の上方に設置し、電力供給手段６を収納装置４の左右方向にずらして設置しているため、フック３０に掛けた荷物がそれらの装置の操作を邪魔したり、誤って作動させたりする虞がない。
【００３０】
以上で本発明に係る実施形態の説明を終えるが、本発明は幅広く変形実施が可能である。例えば、ガイド部材は、インストルメントパネルに取り付けるのではなく、取り付け用の板状の部材等を介してステアリングハンガービームに取り付けてもよい。また、収納ケースと荷掛けフックとを一体成形してもよい。
【図面の簡単な説明】
【００３１】
【図１】インストルメントパネルの正面図である。
【図２】収納装置の斜視図である。
【図３】収納装置の一部の分解斜視図である。
【図４】収納ケースが閉じた状態の縦断面図である。
【図５】収納ケースが開いた状態の縦断面図である。
【符号の説明】
【００３２】
１  インストルメントパネル
４  収納装置
５  セレクトレバー（変速レバー）
６  電力供給手段
１０  ガイド部材（基部）
２０  収納ケース
２２  支持部
３０  荷掛けフック
４０  化粧パネル
４１  凹部
４２  開口
【図１】
2010111210.tif 000003
【図２】
2010111210.tif 000004
【図３】
2010111210.tif 000005
【図４】
2010111210.tif 000006
【図５】
2010111210.tif 000007
【手続補正書】
【提出日】平成22年3月15日(2010.3.15)
【手続補正１】
【補正対象書類名】特許請求の範囲
【補正対象項目名】全文
【補正方法】変更
【補正の内容】
【特許請求の範囲】
【請求項１】
車両の内装部材に配置された引き出し式の収納装置であって、
前記内装部材の内側に形成される基部と、
前記基部にスライド可能に支持され、車室内を向く前壁を有する収納ケースと、
前記収納ケースの前壁に配置された荷掛けフックと
を備え、
前記前壁は前記荷掛けフックを下方向から支持する支持部を有し、
前記支持部は、前記前壁から前方に突設されてフックを直接支持する板状部材と、前記板状部材の側面および前記前壁に固定されて前記板状部材を補強する補強部材とを有することを特徴とする車両用収納装置。
【請求項２】
前記荷掛けフックの係止部に対向する前記前壁の部分に凹部が設けられていることを特徴とする、請求項１に記載された車両用収納装置。
【請求項３】
前記前壁の前面に取り付けられ、前記荷掛けフックの係止部が貫通する開口と、前記係止部に対向する部分に凹部とを有する化粧パネルを更に備えることを特徴とする、請求項１または請求項２に記載された車両用収納装置。
【請求項４】
前記収納ケースの軌道の車室側が、上方に傾いていることを特徴とする、請求項１〜請求項３のいずれか一項に記載された車両用収納装置。
【請求項５】
前記内装部材はインストルメントパネルであり、
前記収納装置は、前記インストルメントパネルに設置されている変速レバーの下方、左方または右方のいずれかに配置されたことを特徴とする、請求項１〜請求項４のいずれか一項に記載された車両用収納装置。
【請求項６】
前記内装部材はインストルメントパネルであり、
前記収納装置は、前記インストルメントパネルに設置されている電力供給手段の下方、左方または右方のいずれかに配置されたことを特徴とする、請求項１〜請求項５のいずれか一項に記載された車両用収納装置。
【手続補正２】
【補正対象書類名】明細書
【補正対象項目名】０００６
【補正方法】変更
【補正の内容】
【０００６】
特に、前記荷掛けフック（３０）を下方向から支持する支持部（２２）が前記前壁（２０ａ）上に備えるとよい。また、支持部（２２）は、フック（３０）を直接支持する板状部材（２２ａ）と、前記板状部材の側面および前記前壁に固定されて前記板状部材を補強する補強部材（２２ｂ）とを有するとよい。
【手続補正３】
【補正対象書類名】明細書
【補正対象項目名】０００７
【補正方法】変更
【補正の内容】
【０００７】
また、特に、前記荷掛けフック（３０）の係止部（３１）に対向する前記前壁（２０ａ）の部分に凹部が設けられるとよい。前記前壁（２０ａ）の前面に取り付けられ、前記荷掛けフック（３０）の係止部（３１）が貫通する開口と、前記係止部（３１）に対向する部分に凹部（４１）とを有する化粧パネル（４０）を更に備えるとよい。